(57)【要約】【課題】無線ネットワーク内の無用なトラフィックを低減することができる通信システムを提供する。【解決手段】無線親機２は、無線ネットワークにおける機器のルーティング情報の一覧であるルーティングテーブルを記憶するルーティングテーブル記憶部２３と、無線端末３１〜３４から送信されたルーティング情報をルーティングテーブルに登録し、ルーティングテーブルに応じて無線ネットワーク１のルーティングを行う経路制御部２２と、無線ネットワーク１における機器の属性情報と、登録されたルーティング情報を削除するか否かを示す経路登録ポリシーとを関連付けたルーティングポリシーの一覧であるルーティングポリシーテーブルを記憶するルーティングポリシーテーブル記憶部２４と、ルーティングポリシーテーブルを参照し、無線端末３１〜３４より送信された属性情報メッセージに含まれる属性情報に応じて、ルーティングテーブルに登録された無線端末３１〜３４のルーティング情報を削除するルーティング情報処理部２５とを備える。【選択図】      図１
2012244576.tif 000002
【特許請求の範囲】
【請求項１】
無線通信する機器である無線端末と、前記無線端末と無線ネットワークを成して無線通信する機器である無線親機とを備える通信システムであって、
前記無線端末は、
無線親機との接続時、前記無線端末のアドレスと通信経路となる機器のアドレスである経路情報とを示すルーティング情報を前記無線親機に送信する第１経路制御部と、
前記無線端末の属性情報を含む属性情報メッセージを前記無線親機に送信する属性情報処理部とを備え、
前記無線親機は、
前記無線ネットワークにおける機器のルーティング情報の一覧であるルーティングテーブルを記憶するルーティングテーブル記憶部と、
前記無線端末との接続時、前記第１経路制御部から送信されたルーティング情報を前記ルーティングテーブルに登録し、前記ルーティングテーブルに応じて前記無線ネットワークのルーティングを行う第２経路制御部と、
前記無線ネットワークにおける機器の属性情報と、前記登録されたルーティング情報を削除するか否かを示す経路登録ポリシーとを関連付けたルーティングポリシーの一覧であるルーティングポリシーテーブルを記憶するルーティングポリシーテーブル記憶部と、
前記ルーティングポリシーテーブルを参照し、前記無線端末より送信された前記属性情報メッセージに含まれる属性情報に応じて、前記ルーティングテーブルに登録された前記無線端末のルーティング情報を削除するルーティング情報処理部と
を備えることを特徴とする通信システム。
【請求項２】
前記無線端末は、所定空間に位置し、
前記ルーティングポリシーは、前記所定空間においてユーザが存在しているか不在かを区分けした前記経路登録ポリシーが設定され、
前記無線親機は、前記所定空間においてユーザが存在しているか不在かを示す在・不在情報を取得する在・不在情報取得部を更に備え、
前記ルーティング情報処理部は、前記ルーティングポリシーテーブルを参照し、前記在・不在情報取得部が取得した在・不在情報に応じて、前記無線端末のルーティング情報を削除することを特徴とする請求項１に記載の通信システム。
【請求項３】
前記在・不在情報取得部は、前記所定空間においてユーザが存在しているか不在かを検出するセンサー端末から前記在・不在情報を取得し、
前記ルーティングポリシーテーブルは、前記センサー端末と関連付けられた機器と、他の機器とを区分けした属性情報が設定され、前記区分けした属性情報にそれぞれ関連付けられた前記経路登録ポリシーが設定されることを特徴とする請求項２に記載の通信システム。
【請求項４】
前記無線端末は、前記無線ネットワークにおける機器間の通信を中継する中継ルータであり、
前記無線親機は、前記無線端末の属性情報と関連付けられた前記経路登録ポリシーが前記無線端末のルーティング情報を削除する旨設定され、前記ルーティングテーブルの経路情報に前記無線端末のアドレスが設定される場合において、前記無線端末のルーティング情報を前記ルーティングテーブルに登録することを特徴とする請求項１〜３のいずれか１項に記載の通信システム。
【請求項５】
前記属性情報の異なる複数の前記無線端末を備え、
前記無線親機は、前記複数の無線端末が、前記ルーティングテーブルの経路情報に前記複数の無線端末のアドレスが設定される場合において、前記属性情報と関連付けられた前記経路登録ポリシーが前記無線端末のルーティング情報を削除する旨設定された前記無線端末のルーティング情報を削除することを特徴とする請求項４に記載の通信システム。
【請求項６】
前記ルーティングポリシーテーブルは、通信データの送信元のアドレスに応じて区分けされた複数の前記経路登録ポリシーが設定されていることを特徴とする通信システム。
【発明の詳細な説明】
【技術分野】
【０００１】
本発明は、無線ネットワークの無用なトラフィックを低減することができる通信システムに関する。
【背景技術】
【０００２】
低消費電力の無線規格であるＩＥＥＥ８０２．１５．４において、ＩＰｖ６を動作させる６ＬｏＷＰＡＮ（IPv6 over Low-Power Wireless Personal Area Networks）と呼ばれる技術が標準化されている。６ＬｏＷＰＡＮ等により、宅内の低消費、低スペックの無線端末にＩＰｖ６が割り与えられることが増えてきている。低消費電力の不安定ネットワークにおいて、ＲＰＬ（IPv6 Routing Protocol for Low power and Lossy Networks）というルーティングプロトコルが提案されており、６ＬｏＷＰＡＮにおいてＲＰＬが用いられている。ＲＰＬでは上流方向のみのルーティング方法が提案されている。
【０００３】
一方、無線ＬＡＮシステムにおいてアクセスポイントを二重化構成にした場合でも、正常時にシステム全体のスループットが低下するのを回避し、緊急時にも正常時と同等の通信を確保するために、緊急用アクセスポイントを、異常時のみアクセスポイントとして動作する技術が提案されている（特許文献１参照）。
【先行技術文献】
【特許文献】
【０００４】
【特許文献１】特開２００４−１５２８７号公報
【発明の概要】
【発明が解決しようとする課題】
【０００５】
宅内の無線ネットワークにおいて、インターネットから低スペックの無線端末に接続可能となると、外部から送信される悪意のあるパケットやポートスキャン等のトラフィックの増加により、無線ネットワークの帯域が消耗され、無線ネットワークの負荷となることが考えられる。
【０００６】
しかしながら、ＲＰＬでは、経路設定が、下流方向の通信が必要な端末が含まれる場合は設定できない。特許文献１では、外部からの無用なトラフィックデータが送信された場合に、無線ネットワークの負荷を減らすことが困難である。
【０００７】
本発明は、無線ネットワーク内の無用なトラフィックを低減することができる通信システムを提供することを目的とする。
【課題を解決するための手段】
【０００８】
上記目的を達成するために、本発明の第１の態様は、無線通信する機器である無線端末と、前記無線端末と無線ネットワークを成して無線通信する機器である無線親機とを備える通信システムであって、前記無線端末は、無線親機との接続時、前記無線端末のアドレスと通信経路となる機器のアドレスである経路情報とを示すルーティング情報を前記無線親機に送信する第１経路制御部と、前記無線端末の属性情報を含む属性情報メッセージを前記無線親機に送信する属性情報処理部とを備え、前記無線親機は、前記無線ネットワークにおける機器のルーティング情報の一覧であるルーティングテーブルを記憶するルーティングテーブル記憶部と、前記無線端末との接続時、前記第１経路制御部から送信されたルーティング情報を前記ルーティングテーブルに登録し、前記ルーティングテーブルに応じて前記無線ネットワークのルーティングを行う第２経路制御部と、前記無線ネットワークにおける機器の属性情報と、前記登録されたルーティング情報を削除するか否かを示す経路登録ポリシーとを関連付けたルーティングポリシーの一覧であるルーティングポリシーテーブルを記憶するルーティングポリシーテーブル記憶部と、前記ルーティングポリシーテーブルを参照し、前記無線端末より送信された前記属性情報メッセージに含まれる属性情報に応じて、前記ルーティングテーブルに登録された前記無線端末のルーティング情報を削除するルーティング情報処理部とを備える通信システムであることを要旨とする。
【０００９】
また、本発明の第１の態様に係る通信システムにおいては、前記無線端末は、所定空間に位置し、前記ルーティングポリシーは、前記所定空間においてユーザが存在しているか不在かを区分けした前記経路登録ポリシーが設定され、前記無線親機は、前記所定空間においてユーザが存在しているか不在かを示す在・不在情報を取得する在・不在情報取得部を更に備え、前記ルーティング情報処理部は、前記ルーティングポリシーテーブルを参照し、前記在・不在情報取得部が取得した在・不在情報に応じて、前記無線端末のルーティング情報を削除することができる。
【００１０】
また、本発明の第１の態様に係る通信システムにおいては、前記在・不在情報取得部は、前記所定空間においてユーザが存在しているか不在かを検出するセンサー端末から前記在・不在情報を取得し、前記ルーティングポリシーテーブルは、前記センサー端末と関連付けられた機器と、他の機器とを区分けした属性情報が設定され、前記区分けした属性情報にそれぞれ関連付けられた前記経路登録ポリシーが設定されることができる。
【００１１】
また、本発明の第１の態様に係る通信システムにおいては、前記無線端末は、前記無線ネットワークにおける機器間の通信を中継する中継ルータであり、前記無線親機は、前記無線端末の属性情報と関連付けられた前記経路登録ポリシーが前記無線端末のルーティング情報を削除する旨設定され、前記ルーティングテーブルの経路情報に前記無線端末のアドレスが設定される場合において、前記無線端末のルーティング情報を前記ルーティングテーブルに登録することができる。
【００１２】
また、本発明の第１の態様に係る通信システムにおいては、前記属性情報の異なる複数の前記無線端末を備え、前記無線親機は、前記複数の無線端末が、前記ルーティングテーブルの経路情報に前記複数の無線端末のアドレスが設定される場合において、前記属性情報と関連付けられた前記経路登録ポリシーが前記無線端末のルーティング情報を削除する旨設定された前記無線端末のルーティング情報を削除することができる。
【００１３】
また、本発明の第１の態様に係る通信システムにおいては、前記ルーティングポリシーテーブルは、通信データの送信元のアドレスに応じて区分けされた複数の前記経路登録ポリシーが設定されることができる。
【発明の効果】
【００１４】
本発明によれば、無線ネットワーク内の無用なトラフィックを低減することができる通信システムを提供することができる。
【図面の簡単な説明】
【００１５】
【図１】本発明の第１の実施の形態に係る通信システムの基本的な構成を説明する模式的なブロック図である。
【図２】本発明の第１の実施の形態に係る通信システムが備える無線親機の基本的な構成を説明するブロック図である。
【図３】本発明の第１の実施の形態に係る通信システムが備える無線端末の基本的な構成を説明するブロック図である。
【図４】本発明の第１の実施の形態に係る通信システムに用いるルーティングポリシーテーブルを図示した一例である。
【図５】本発明の第１の実施の形態に係る通信システムに用いるルーティングテーブルを図示した一例である。
【図６】本発明の第１の実施の形態に係る通信システムに用いる属性情報メッセージのデータ構造を説明する図である。
【図７】本発明の第１の実施の形態に係る通信システムの動作の一例を説明するフローチャートである。
【図８】本発明の第２の実施の形態に係る通信システムに用いるルーティングポリシーテーブルを図示した一例である。
【発明を実施するための形態】
【００１６】
次に、図面を参照して、本発明の第１及び第２の実施の形態を説明する。
【００１７】
（第１の実施の形態）
本発明の第１の実施の形態に係る通信システムは、図１に示すように、宅内無線ネットワーク１内に位置し、無線通信する機器である無線端末３１，３２，３３，３４と、無線端末３１〜３４とインターネット５との間の通信をそれぞれ中継する無線親機２とを備える。無線親機２は、無線端末３１〜３４と宅内無線ネットワーク１を成して無線通信するアクセスポイントである。
【００１８】
宅内無線ネットワーク１のルーティング方法は、例えば、ＲＰＬにおいて、無線親機２からソースルーティングを行うノンストーリングモード（non storing mode）を用いた方法を適用可能である。無線端末３１〜３４の内、無線端末３１，３２は、他の無線端末３３，３４、無線親機２の相互間の通信を中継する中継ルータとして動作することができる。無線端末３１〜３４は、例えば、センサー端末や、照明、エアコン等を制御する制御端末であることができる。
【００１９】
無線親機２は、図２に示すように、無線通信部２１と、経路制御部２２と、ルーティングテーブル記憶部２３と、ルーティングポリシーテーブル記憶部２４と、ルーティング情報処理部２５、在・不在情報取得部２６、ネットワークインタフェース部２７とを備える。
【００２０】
無線通信部２１は、無線信号を送受信するアンテナにより、無線端末３１〜３４と通信する。経路制御部２２は、無線通信部２１を介して、宅内無線ネットワーク１内の無線端末３１〜３４の通信経路を選択、制御するルーティングを行う。ルーティングテーブル記憶部２３は、経路制御部２２が行うルーティングに用いられるルーティングテーブルを記憶する。ルーティングポリシーテーブル記憶部２４は、ルーティングテーブルを更新する際に用いられるルーティングポリシーテーブルを記憶する。ルーティング情報処理部２５は、ルーティングポリシーテーブル記憶部２４に記憶されたルーティングポリシーテーブルを参照し、ルーティングテーブル記憶部２３に記憶されたルーティングテーブルを更新する。在・不在情報取得部２６は、所定空間においてユーザが存在しているか不在かを示す在・不在情報を取得する。ネットワークインタフェース部２７は、例えば、図示を省略したブロードバンドルータ等と有線で接続され、インターネット５と通信可能に接続されている。
【００２１】
無線端末３１は、図３に示すように、無線通信部３０１と、経路制御部３０２と、ルーティング情報記憶部３０３と、属性情報処理部３０４と、センサー部３０５とを備える。
【００２２】
無線通信部３０１は、無線信号を送受信するアンテナにより、無線親機２、無線端末３１〜３４それぞれと通信する。経路制御部２２は、無線通信部３０１を介して、ルーティングに用いられるルーティング情報を無線親機２に送信する。ルーティング情報記憶部３０３は、無線端末３１自身のルーティング情報を記憶する。属性情報処理部３０５は、無線端末３１自身の属性を示す属性情報を記憶し、無線通信部３０１を介して、属性情報を含む属性情報メッセージを無線親機２に送信する。センサー部３０５は、例えば、所定空間においてユーザが存在しているか不在かを検出する。
【００２３】
無線端末３２〜３４は、無線通信部３０１と、経路制御部３０２と、ルーティング情報記憶部３０３と、属性情報処理部３０４とを少なくとも備える点で無線端末３１と実質的に同様であるので、重複する説明を省略する。
【００２４】
以下、本発明の第１の実施の形態に係る通信システムの動作の一例を説明する。
【００２５】
無線親機２のルーティングポリシーテーブル記憶部２４は、例えば図４に示すように、予め設定されたルーティングポリシーテーブルを記憶している。ルーティングポリシーテーブルは、宅内無線ネットワーク１における機器である無線端末３１〜３４の属性情報と、無線端末３１〜３４のルーティング情報を、それぞれ削除するか否かを示す経路登録ポリシーとを関連付けたルーティングポリシーの一覧である。
【００２６】
無線端末３１の経路制御部３０２は、起動すると、近隣の無線親機２若しくは他の無線端末３２〜３４と接続時、自身のルーティング情報を近隣の無線親機２若しくは他の無線端末３２〜３４に送信し、ルーティング情報を交換する。無線端末３１の経路制御部３０２が送信するルーティング情報は、無線端末３１自身のアドレス（２００１：ｄｂ８：１：：１００）と、通信経路となる機器のアドレスである経路情報とを示す情報である。
【００２７】
無線親機２の経路制御部２２は、経路制御部３０２から送信されたルーティング情報を、ルーティングテーブル記憶部２３に記憶されたルーティングテーブルに登録する。ルーティングテーブルは、例えば図５に示すように、宅内無線ネットワーク１における機器のルーティング情報の一覧である。ルーティングテーブルにルーティング情報が登録されることにより、無線端末３１の通信経路が構築される。
【００２８】
無線端末３１の属性情報処理部３０４は、無線端末３１の通信経路が構築されると、無線端末３１の属性情報を含む属性情報メッセージを無線親機２に送信する。属性情報メッセージは、例えば、図６に示すように、送信元のアドレスとなる無線端末３１のアドレス「２００１：ｄｂ８：１：：１００」と、無線信端末３１の属性情報「０ｘ００」とを含む。例えば、「０ｘ００」は、無線端末の属性情報が「センサー」であること示し、「０ｘ０１」、「０ｘ０２」は、それぞれ無線端末の属性情報が「遠隔制御」、「宅内制御」であることを示している。
【００２９】
無線親機２のルーティング情報処理部２５は、無線端末３１から送信された属性情報メッセージを受信すると、図７のフローチャートに示すように、属性情報メッセージに含まれる無線端末３１の属性情報に応じて、ルーティングテーブルを更新する。
【００３０】
ルーティング情報処理部２５は、ステップＳ１において無線端末３１から属性情報メッセージを受信すると、ステップＳ２においてルーティングポリシーテーブル記憶部２４のルーティングポリシーテーブルを参照する。
【００３１】
ステップＳ３において、ルーティング情報処理部２５は、無線端末３１の属性情報が「遠隔制御」または「宅内制御」であるか否かを判定する。属性情報が「遠隔制御」または「宅内制御」でない場合、ステップＳ１０において、無線端末３１の属性情報を削除する。例えば、無線端末３１の属性情報が「センサー」である場合、図４に示すルーティングポリシーテーブルにおいて、属性情報「センサー」に対応する経路登録ポリシーが「削除」となっており、無線端末３１のルーティング情報を削除する旨設定されている。よって、ルーティング情報処理部２５は、既に図５に示すルーティングテーブルに登録された無線端末３１のルーティング情報を削除する。属性情報が「遠隔制御」または「宅内制御」の場合、ステップＳ４に進む。
【００３２】
例えば、ホームネットワークにおいて、リモコン、照明等のユーザの在宅時のみに操作される制御端末の場合、属性情報は「宅内制御」とすることができる。エアコン等のユーザの不在時にも操作される制御端末の場合、属性情報は「遠隔制御」とすることができる。
【００３３】
ステップＳ４において、ルーティング情報処理部２５は、無線端末３１のアドレスを、ルーティングポリシーテーブルの対応する属性情報に関連付けて登録する。また、無線親機２と接続されたセンサー端末がある場合、センサー端末を、ルーティングポリシーテーブルの対応する属性情報に関連付けて登録する。センサー端末は、例えば無線端末３１が位置する所定空間において、ユーザが存在しているか不在かを検出する。この場合、ルーティングポリシーテーブルは、センサー端末と関連付けられた機器と、他の機器とを区分けした属性情報が設定され、区分けした属性情報にそれぞれ関連付けられた経路登録ポリシーが設定されるようにしても良い。
【００３４】
ステップＳ５において、ルーティング情報処理部２５は、ルーティングポリシーテーブルを参照して、無線端末３１の属性情報と関連付けられた対応センサー端末が未登録か否かを判定する。対応センサー端末が未登録の場合、ルーティング情報処理部は、ステップＳ６において、無線端末３１のルーティング情報をルーティングテーブルに登録する。対応センサー端末が登録されている場合、ステップＳ７に進む。
【００３５】
ステップＳ７において、在・不在情報取得部２６は、所定空間においてユーザが存在しているか不在かを示す在・不在情報を、センサー状態として対応センサー端末から取得する。センサー状態が「不在」でない場合、ステップＳ６に進む。
【００３６】
センサー状態が「不在」の場合、ステップＳ８において、無線端末３１の属性情報が「宅内制御」であるか否かを判定する。属性情報が「宅内制御」でない場合、ステップＳ６に進む。属性情報が「宅内制御」の場合、ステップＳ９において、ルーティング情報処理部２５は、無線端末３１のルーティング情報をルーティングテーブルから削除する。
【００３７】
ルーティング情報処理部２５は、在・不在情報が変更された際に在・不在情報取得部２６が取得した在・不在情報に応じて、ルーティングポリシーテーブルを参照して、ルーティングテーブルの無線端末３１のルーティング情報を削除するようにしても良い。この場合、ルーティングポリシーは、所定空間においてユーザが存在しているか不在かの在・不在情報に応じて区分けした経路登録ポリシーが設定される。
【００３８】
第１の実施の形態に係る通信装置によれば、無線端末の属性情報に応じてルーティング情報を削除し、ルーティングテーブルを更新できるで、例えばインターネット等から送信される無用なトラフィックを低減できる。
【００３９】
また、中継ルータである無線端末３１のアドレスが、ルーティングポリシーテーブルの経路情報として設定される場合、無線端末３１のルーティング情報が削除されると、宅内無線ネットワーク１において正常にルーティングされない可能性がある。この場合、ルーティング情報処理部２５は、中継ルータである無線端末３１のルーティング情報をルーティングテーブルに再登録する。よって、宅内無線ネットワーク１は、無線端末３１の属性情報が「センサー」であっても、正常なルーティングが可能となる。
【００４０】
また、図１に示すように、宅内無線ネットワーク１において、複数の中継ルータである無線端末３１，３２が存在する場合、無線親機２から無線端末までの経路が複数存在する可能性がある。ルーティング情報処理部２５は、無線端末３１，３２のアドレスがいずれも経路情報として設定されている場合、無線端末３１，３２の属性情報に応じて、前記無線端末のルーティング情報を削除し、経路を集約することができる。例えば、ルーティング情報処理部２５は、無線端末３２それぞれの属性情報と関連付けられた経路登録ポリシーが「削除」となっている場合、無線端末３２が中継ルータであっても無線端末３２のルーティング情報を削除することができる。このように、ルーティング情報処理部２５は、宅内無線ネットワーク１の通信時の経路を集約することによって、宅内無線ネットワーク１のトラフィックを更に低減することができる。
【００４１】
（第２の実施の形態）
本発明の第２の実施の形態に係る通信システムは、ルーティングポリシーテーブル記憶部２４に記憶されるルーティングポリシーテーブルが、通信データの送信元のアドレスに応じた経路登録ポリシーを有する点で第１の実施の形態と異なる。
【００４２】
第２の実施の形態に係る通信システムに用いるルーティングポリシーテーブルは、図８に示すように、在・不在情報に応じて区分けされた経路登録ポリシーが、通信データの送信元アドレスに応じて宅内用及び宅外用に更にそれぞれ区分けして設定されている。ルーティング情報処理部２５は、例えば、通信データの送信元アドレスが宅内無線ネットワーク１の外部のネットワークのアドレスの場合、宅外用の経路登録ポリシー、在・不在情報及び属性情報に応じてルーティングテーブルを更新する。宅外用の経路登録ポリシーが「削除」になっている場合、ルーティング情報処理部２５がルーティングテーブルのルーティング情報を削除するとともに、経路制御部２２が、通信データのパケットを破棄する。
【００４３】
第２の実施の形態に係る通信システムによれば、通信データの送信元アドレスに応じて区分けした経路登録ポリシーを採用することにより、無線親機２は、通信データのフィルタリングを行うことができる。よって、宅内無線ネットワーク１内の無用なトラフィックを更に低減することができるとともに、セキュリティを向上することができる。
【符号の説明】
【００４４】
１…宅内無線ネットワーク
２…無線親機
５…インターネット
２１…無線通信部
２２…経路制御部
２３…ルーティングテーブル記憶部
２４…ルーティングポリシーテーブル記憶部
２５…ルーティング情報処理部
２６…在・不在情報取得部
２７…ネットワークインタフェース部
３１，３２，３３，３４…無線端末
３２…無線端末
３０１…無線通信部
３０２…経路制御部
３０３…ルーティング情報記憶部
３０４…属性情報処理部
３０５…センサー部
３０５…属性情報処理部
【図１】
2012244576.tif 000003
【図２】
2012244576.tif 000004
【図３】
2012244576.tif 000005
【図４】
2012244576.tif 000006
【図５】
2012244576.tif 000007
【図６】
2012244576.tif 000008
【図７】
2012244576.tif 000009
【図８】
2012244576.tif 000010